(57)【要約】【課題】装着された被印字媒体に対応した印字データを自動的に印刷することができる印字ラベル作成装置である。【解決手段】印字ラベル作成装置１は、装置の外郭を構成する装置筐体２と、装置筐体２に着脱可能に構成された被印字テープ３Ａと、装置筐体２に装着された被印字テープ３Ａの種別情報を取得するテープ判別センサ３０と、被印字テープ３Ａに対し所望の印字を行う印字ヘッド６１と、印字ヘッド６１により印字を行う印字項目を選択するための選択キー２１と、を備え、選択キー２１により印字項目を選択すると、テープ判別センサ３０により取得された種別情報に基づき、選択された印字項目に関する印字データを変更する。【選択図】図３
2014188728.tif 000002
【特許請求の範囲】
【請求項１】
装置の外郭を構成する装置筐体と、
前記装置筐体に着脱可能に構成された被印字媒体と、
前記装置筐体に装着された前記被印字媒体の種別情報を取得する種別情報取得手段と、
前記被印字媒体に対し所望の印字を行う印字手段と、
前記印字手段により印字を行う印字項目を選択するための選択キーと、
前記種別情報取得手段により取得された前記種別情報に基づき、前記選択キーにより選択された前記印字項目に関する印字データを変更するデータ変更手段と、を有する
ことを特徴とする印刷装置。
【請求項２】
請求項１記載の印刷装置において、
前記選択キーは、
同一の前記印字項目に関する複数種類のテンプレートを割り当てられており、
前記データ変更手段は、
前記種別情報に基づき、前記選択キーに割り当てられた前記複数種類のテンプレートの中で前記テンプレートを変更することにより、選択された前記印字項目に関する前記印字データを変更する
ことを特徴とする印刷装置。
【請求項３】
請求項２記載の印刷装置において、
前記選択キーと、前記被印字媒体の種別と、前記テンプレートと、を対応付けた相関情報を記憶した記憶手段をさらに有し、
前記データ変更手段は、
前記相関情報に基づいて、前記選択キーに割り当てられた前記複数種類のテンプレートの中から前記種別情報に対応する前記テンプレートを特定する
ことを特徴とする印刷装置。
【請求項４】
請求項１記載の印刷装置において、
前記選択キーは、
前記印字項目に関する複数の詳細項目を備えたテンプレートを割り当てられており、
前記データ変更手段は、
前記種別情報に基づき、前記選択キーに割り当てられた前記テンプレートにおける印字領域を前記詳細項目単位で変更することにより、選択された前記印字項目に関する前記印字データを変更する
ことを特徴とする印刷装置。
【請求項５】
請求項４記載の印刷装置において、
前記印字データは、
前記複数の詳細項目のうち、他の詳細項目よりも優先度の高い詳細項目が前記印字領域における特定の領域に集中的に配置されるように構成されており、
前記データ変更手段は、
前記特定の領域を残しつつ前記印字領域を前記詳細項目単位で拡大又は縮小することにより、選択された前記印字項目に関する前記印字データを変更する
ことを特徴とする印刷装置。
【請求項６】
請求項１乃至請求項５のいずれか１項記載の印刷装置において、
前記被印字媒体は、
前記装置筐体に着脱可能に構成されたロール又はカートリッジより供給される被印字テープであり、
前記種別情報取得手段は、
前記被印字テープのテープ幅及びテープ色の少なくとも一方を前記種別情報として取得し、
前記データ変更手段は、
前記種別情報取得手段により取得された前記テープ幅及び前記テープ色の少なくとも一方に基づき、前記選択キーにより選択された前記印字項目に関する前記印字データを変更する
ことを特徴とする印刷装置。
【請求項７】
請求項１乃至請求項６のいずれか１項記載の印刷装置において、
前記装置筐体は、
装着された前記被印字媒体の上方を開閉するカバー部を有しており、
前記種別情報取得手段は、
前記カバー部が閉じられた際に、前記装置筐体に装着された前記被印字媒体の種別情報を取得する
ことを特徴とする印刷装置。
【請求項８】
請求項１乃至請求項７のいずれか１項記載の印刷装置において、
前記種別情報取得手段により取得された前記種別情報に基づき、前記被印字媒体の種別に関する表示を行う表示手段をさらに有する
ことを特徴とする印刷装置。
【発明の詳細な説明】
【技術分野】
【０００１】
本発明は、被印字媒体に印刷を行う印刷装置に関する。
【背景技術】
【０００２】
印刷装置の選択キーを操作することで、当該選択キーに関連づけられたデータを印刷する印刷システムが知られている（例えば、特許文献１参照）。この印刷システムでは、データ作成装置で作成された印字データ（データ）に対して、印刷装置の選択キーを特定する情報が割り当てられており、印刷装置において選択キーが操作されたときに、割当情報によって当該選択キーに関連づけられた印字データが読み出され、印刷される。
【先行技術文献】
【特許文献】
【０００３】
【特許文献１】特開２００４−１５７９１２号公報
【発明の概要】
【発明が解決しようとする課題】
【０００４】
上記印刷装置は、テープ状の被印字媒体（印刷媒体）に対して印刷を行い、印刷後に切断してラベルを作成する。被印字媒体は、一般にテープ幅やテープ色等に応じて複数の種別が用意されており、ラベルの用途に応じて使い分けられる。
【０００５】
上記従来技術では、選択キーと印字データとが関連づけられる。したがって、ラベルの用途に応じて被印字媒体が変更された場合であっても、同一の選択キーからは同一の印刷しかなされず、被印字媒体に対応した印刷をすることができない。被印字媒体に対応した印刷を行うには、ユーザ自身が、変更した被印字媒体に応じて選択キーに新たな印字データを割り当てる、あるいは、使用する被印字媒体の種別を入力する、等の設定操作を事前にする必要があり、利便性が低下する。
【０００６】
本発明の目的は、被印字媒体に対応した印字データを自動的に印刷することで、利便性を向上できる印刷装置を提供することにある。
【課題を解決するための手段】
【０００７】
上記目的を達成するために、本願発明は、装置の外郭を構成する装置筐体と、前記装置筐体に着脱可能に構成された被印字媒体と、前記装置筐体に装着された前記被印字媒体の種別情報を取得する種別情報取得手段と、前記被印字媒体に対し所望の印字を行う印字手段と、前記印字手段により印字を行う印字項目を選択するための選択キーと、前記種別情報取得手段により取得された前記種別情報に基づき、前記選択キーにより選択された前記印字項目に関する印字データを変更するデータ変更手段と、を有することを特徴とする。
【０００８】
本願発明の印刷装置においては、被印字媒体が装置筐体に着脱可能に構成されている。そして、印字手段が被印字媒体に対し、選択キーにより選択された印字項目の印字を行う。
【０００９】
ここで、本願発明では、種別情報取得手段が、装置筐体に装着された被印字媒体の種別情報を取得する。そして、データ変更手段が、取得された種別情報に基づき、選択キーにより選択された印字項目に関する印字データを変更する。
【００１０】
これにより、印刷装置は、装着された被印字媒体に対応した印字データを自動的に印刷することができる。その結果、ユーザは、変更した被印字媒体に応じて選択キーに新たな印字データを割り当てる、あるいは、使用する被印字媒体の種別を入力する、等の設定操作をしなくても、所望の被印字媒体を装着して選択キーを操作するのみで用途に応じたラベルを作成することができる。したがって、ユーザの利便性を大幅に向上することができる。
【発明の効果】
【００１１】
本発明によれば、被印字媒体に対応した印字データを自動的に印刷することで、ユーザの利便性を向上することができる。
【図面の簡単な説明】
【００１２】
【図１】本発明の第１実施形態の印字ラベル作成装置の外観を表す斜視図である。
【図２】印字ラベル作成装置の全体構造を表す側断面図である。
【図３】印字ラベル作成装置の制御系を表す機能ブロック図である。
【図４】印字項目メニュー画面の一例を表す説明図である。
【図５】被印字テープの種別に対応して作成されるラベルの一例を表す説明図である。
【図６】印字ラベル作成装置に備えられたメモリに記憶されたテーブルの一例を表す説明図である。
【図７】テーブルへの相関情報の追加を表す説明図である。
【図８】印字ラベル作成装置のＣＰＵによって実行される制御内容を表すフローチャートである。
【図９】本発明の第２実施形態における印字データの変更方法の一例を表す説明図である。
【発明を実施するための形態】
【００１３】
＜第１実施形態＞
以下、本発明の第１実施形態を図面を参照しつつ説明する。
【００１４】
＜外観概略構成＞
本発明の第１実施形態の印字ラベル作成装置の外観構成を図１により説明する。なお、以下の説明において、前・後方向、左・右方向、上・下方向は、図１中に適宜示す矢印の方向を表す。
【００１５】
図１において、本第１実施形態の印字ラベル作成装置１（印刷装置に相当する）は、装置の外郭を構成し、フロントパネル６を備えた装置筐体２と、上カバーユニット５（カバー部に相当する）とを有している。これら装置筐体２及び上カバーユニット５は例えば樹脂製である。上カバーユニット５は、タッチパネル部５Ａと、略矩形状の液晶パネル部５Ｂ（表示手段に相当する）と、操作ボタン部５Ｃと、を備えている。
【００１６】
上カバーユニット５は、後方端部において装置筐体２に回転軸部２ａ（後述する図２参照）を介して回動可能に接続されており、これにより上カバーユニット５は装置筐体２に対し開閉可能な構造となっている。なお、上カバーユニット５の下部には、上記装置筐体２の一部を構成する筐体カバー部２Ａが一体に構成されており、上カバーユニット５の開閉時には、筐体カバー部２Ａも一体となって開閉する。
【００１７】
液晶パネル部５Ｂは、後方端部においてタッチパネル部５Ａに回転軸部５ａ（後述する図２参照）を介して回動可能に接続されており、これにより液晶パネル部５Ｂはタッチパネル部５Ａに対し開閉可能な構造となっている。
【００１８】
操作ボタン部５Ｃは、上カバーユニット５の前方寄りの上面位置に設けられ、印字ラベル作成装置１の電源ボタン７Ａや、周辺機器作動状態を表示させるためのステータスボタン７Ｂ、フィードボタン７Ｃ等が配置されている。
【００１９】
装置筐体２の左右の両側壁には、解除つまみ１７が設けられている。この解除つまみ１７を上方に押し上げることによって、装置筐体２への上カバーユニット５の係止が解除され、上カバーユニット５が開放可能な状態となる。なお、上カバーユニット５が閉じられたか否かは、例えば解除つまみ１７にプッシュスイッチ（図示せず）を設けて、上カバーユニット５が閉じた際に押下される解除つまみ１７によってプッシュスイッチが押されることで検出することができる。あるいは、上カバーユニット５の適宜な箇所、例えばタッチパネル部５Ａの周囲枠の下面にプッシュスイッチを設けて、上カバーユニット５が閉じられたことを検出するようにしてもよい。
【００２０】
フロントパネル６には、第１排出口６Ａと、当該第１排出口６Ａよりも下方側の部位に位置する第２排出口６Ｂとが、設けられている。また、フロントパネル６のうち第２排出口６Ｂを備えた部分は、例えば後述の被印字テープ３Ａの設置や排紙等の便宜を図るために、前方側へ回動可能な開閉蓋６Ｃとなっている。
【００２１】
第１排出口６Ａは、上カバーユニット５を閉じ状態としたときに、装置筐体２の前面側上縁部と上記上カバーユニット５の前面側下縁部とによって形成される。なお、上カバーユニット５の第１排出口６Ａ側における下縁部内側には、切断刃８が下方に向けて付設されている（後述する図２も参照）。
【００２２】
＜内部構造＞
次に、図２を用いて、印字ラベル作成装置１の内部構造を説明する。
【００２３】
図２に示すように、印字ラベル作成装置１は、装置筐体２の内部空間の後方に、凹状のロール収納部４を有している。ロール収納部４は、所望の幅の被印字テープ３Ａ（被印字媒体に相当する）をロール状に巻回したロール３を、被印字テープ３Ａがロール上側より繰り出されるように収納する。ロール３は、上記被印字テープ３Ａの巻回の軸線を、前後方向と直交する左右方向となる状態で、回転可能にロール収納部４に収納されている。このようにして、被印字テープ３Ａは、ロール状となって装置筐体２に着脱可能に構成されている。また、装着された被印字テープ３Ａの上方、つまり、ロール収納部４の上方は、上カバーユニット５により開閉されることとなる。
【００２４】
ロール３を構成する被印字テープ３Ａには、図２中拡大図中に示すように、例えば値札等に使用されるラベル台紙ＬＰが剥離材層３ｃ上に長手方向に沿って連続配置されている。すなわち、ラベル台紙ＬＰは、この例では２層構造となっており、印字ヘッド６１によって印字が形成される被印字層３ａと、粘着剤層３ｂと、の順で積層されている。そして、ラベル台紙ＬＰは、上記粘着剤層３ｂの粘着力により所定間隔おきに剥離材層３ｃの一方側の面に接着されている。すなわち、被印字テープ３Ａは、ラベル台紙ＬＰが接着された部分では被印字層３ａ、粘着剤層３ｂ、及び剥離材層３ｃの３層構造となっており（図２中拡大図参照）、ラベル台紙ＬＰが接着されていない部分（すなわちラベル台紙ＬＰ同士の間の部分）では、剥離材層３ｃのみの１層構造となっている。印字が完了したラベル台紙ＬＰは、ラベルＬとして最終的に剥離材層３ｃより剥がされることで所定の商品等の被着体に貼り付けられる。
【００２５】
ロール収納部４の底面部には、３つの支持ローラ５１，５２，５３が設けられている。支持ローラ５１〜５３は、被印字テープ３Ａを搬送させるためのプラテンローラ６６が回転駆動されてロール３より被印字テープ３Ａを引き出す際に、少なくとも２つのローラがロール３の外周面に接触することにより、従動的に回転してロール３を回転可能に支持する。これら３つの支持ローラ５１〜５３は、ロール３に対する周方向位置がそれぞれ異なっており、前方から後方に向かって、ロール３の周方向に沿って、第１支持ローラ５１、第２支持ローラ５２、及び第３支持ローラ５３、の順に配置されている。これら第１〜第３支持ローラ５１〜５３は、上記左右方向（言い換えればロール幅方向）に複数の部分に分割されており、ロール幅に応じてロール３が搭載された部分だけが回転するようになっている。
【００２６】
また、ロール収納部４の底面部には、被印字テープ３Ａの種別を判別するテープ判別センサ３０（種別情報取得手段に相当する）（後述の図３参照）が設けられている。テープ判別センサ３０は、複数個のプッシュ式のマイクロスイッチ等からなり、ロール収納部４にロール３が収納され、上カバーユニット５が閉じられると、ロール３の種類に応じてマイクロスイッチが押されてオンする。テープ判別センサ３０は、複数個のマイクロスイッチのオン・オフ信号の組み合わせにより被印字テープ３Ａの種別を判別し、種別情報を取得する。このとき、液晶パネル部５Ｂに、テープ判別センサ３０により取得された種別情報に基づき、被印字テープ３Ａの種別に関する表示を行わせることができる。
【００２７】
被印字テープ３Ａの種別情報としては、テープ幅及びテープ色等があり、テープ判別センサ３０は、これらの少なくとも一つを判別する。なお、テープ判別センサ３０は光学センサとすることもできる。さらに、被印字テープ３Ａの種別は、ユーザ自身の手でタッチパネル部５Ａを介して入力することも可能である。
【００２８】
一方、ロール収納部４にはまた、ロール３の右側の端面に接触して被印字テープ３Ａを左右方向（すなわちテープ幅方向）にガイドする第１ガイド部材（図示省略）と、ロール３の左側の端面に接触して被印字テープ３Ａを左右方向にガイドする第２ガイド部材（図示省略）と、が設けられている。これら両ガイド部材は、上記左右方向に沿って進退することで互いに遠近可能となっている。そして、ロール３に対し、第１ガイド部材が右側から接触するとともに第２ガイド部材が左側から接触することにより、ロール３を両側から挟み込みつつ、被印字テープ３Ａをガイドする。このように両ガイド部材は、左右方向に沿って進退可能に設けられていることから、収納したロール３の幅に応じて両ガイド部材を進退させ位置を調整することで、任意な幅のロール３に対し、両ガイド部材でロール３を挟み込み、被印字テープ３Ａの幅方向をガイドすることができる。
【００２９】
また、ロール収納部４の前方側における被印字テープ３Ａの搬送経路には、上記被印字テープ３Ａの所定の基準位置を光学的に検出するためのセンサユニット１００がロール３（被印字テープ３Ａ）の幅方向（すなわち上記左右方向）に沿って移動可能に設けられている。
【００３０】
＜プラテンローラ、印字ヘッド、及びその周辺構造＞
一方、上カバーユニット５の前端部下側には、プラテンローラ６６により搬送される被印字テープ３Ａに対し所望の印字を行う印字ヘッド６１（印字手段に相当する）が設けられている。この印字ヘッド６１に上下方向に対向するように、装置筐体２の前端部上側に、上記プラテンローラ６６が設けられている。プラテンローラ６６のローラ軸６６Ａは、軸方向両端に設けたブラケット６５（図２参照）により回転自在に軸支されており、またローラ軸６６Ａの一方の軸端には、プラテンローラ６６を駆動するギア（図示省略）が固定されている。
【００３１】
このとき、プラテンローラ６６のローラ軸６６Ａに固定された上記ギアが、装置筐体２側の図示しないギア列に噛合し、ステッピングモータ等で構成される上記プラテンローラ用モータ２１１（後述の図３参照）によりプラテンローラ６６を回転駆動する。これにより、プラテンローラ６６は、ロール収納部４に収納されたロール３より被印字テープ３Ａを繰り出し、被印字テープ３Ａをそのテープ幅方向を左右方向とした姿勢で搬送する。
【００３２】
印字ヘッド６１は、被印字テープ３Ａの搬送方向と直交する方向に、複数個の発熱素子を備えている。印字ヘッド６１の発熱素子が設けられた面と対向する側に、上記プラテンローラ６６は配置されている。発熱素子には、印字すべきドットパターンデータに従って通電がなされ、これによって、ロール３から繰り出された被印字テープ３Ａ上に文字や図像等が印字される。印字ヘッド６１に設けられた各発熱素子の駆動は、後述する図３に示す印字ヘッド制御回路２１７によって行われる。
【００３３】
なお、上記ロール３は、上記ラベル台紙ＬＰが径方向外側となるように、被印字テープ３Ａがロール状に巻回されて構成されている。その結果、被印字テープ３Ａはラベル台紙ＬＰ側の面を上方とした状態でロール３の上側から繰り出され（図２中の破線参照）、被印字テープ３Ａの上側に配置された印字ヘッド６１によって印字形成される。
【００３４】
また、プラテンローラ６６よりも前方側には、剥離材層３ｃをプラテンローラ６６の下方側へ折り返すことで、剥離材層３ｃから上記被印字層３ａ及び粘着剤層３ｂを引き剥がすための、剥離板２００（図２参照）が設けられている。上記剥離板２００により剥離材層３ｃから引き剥がされた印字済みの被印字層３ａ及び粘着剤層３ｂは、剥離板２００のさらに前方側に位置する上記第１排出口６Ａを介し装置筐体２の外部へ排出される。切断刃８は、上記第１排出口６Ａを介し装置筐体２の外部へ排出される被印字層３ａ及び粘着剤層３ｂを、ユーザが所望の位置で切断するのに用いられる。
【００３５】
一方、プラテンローラ６６の下方には、上記剥離板２００により下方側へ折り返された剥離材層３ｃを、当該プラテンローラ６６との間に挟み込んで搬送するピンチローラ２０１が設けられている。上記ピンチローラ２０１により搬送された上記剥離材層３ｃは、上記第２排出口６Ｂから、装置筐体２の外部へ排出される。
【００３６】
＜被印字テープの搬送の概略＞
上記構成において、上カバーユニット５が閉じられ、上記プラテンローラ用モータ２１１によりプラテンローラ６６が回転駆動されると、被印字テープ３Ａが引っ張られる。これにより、上記ガイド部材により幅方向をガイドされつつ、被印字テープ３Ａがロール３から繰り出される。ロール３より繰り出された被印字テープ３Ａは、印字ヘッド６１によって印字された後、剥離板２００によりプラテンローラ６６の下方側へ折り返される。このとき、腰が強い被印字層３ａがこのような折返し経路に追従できないことを利用して、前述のように剥離材層３ｃから被印字層３ａ及び粘着剤層３ｂが引き剥がされる。このように剥離板２００により引き剥がされた被印字層３ａ及び粘着剤層３ｂ（言い換えればラベル台紙ＬＰ）は、第１排出口６Ａより装置筐体２の外部へ排出され、ラベルＬとして使用される。なお、図２では、ロール３より繰り出され搬送される被印字テープ３Ａの搬送経路を波線又は一点鎖線で示している。
【００３７】
＜制御系＞
次に、図３を用いて、印字ラベル作成装置１の制御系について説明する。
【００３８】
図３において、印字ラベル作成装置１には、所定の演算を行う演算部を構成するＣＰＵ２１２が備えられている。ＣＰＵ２１２は、ＲＡＭ２１３、ＲＯＭ２１４及びメモリ２１５（記憶手段に相当する）に接続されている。また、ＣＰＵ２１２は、上記プラテンローラ６６を駆動する上記プラテンローラ用モータ２１１の駆動制御を行うモータ駆動回路２１６と、上記印字ヘッド６１の発熱素子の通電制御を行う印字ヘッド制御回路２１７と、に接続されている。さらに、ＣＰＵ２１２には、上記液晶パネル部５Ｂ、上記タッチパネル部５Ａ、及びテープ判別センサ３０が接続されている。
【００３９】
ＲＯＭ２１４には、後述する制御処理（後述の図８等参照）等を実行するための制御プログラムが記憶されている。メモリ２１５には、印字項目を選択するための選択キーと、装置筐体２に装着された被印字テープ３Ａのテープ幅等の種別と、印字データのテンプレートと、を対応付けた相関情報であるテーブル２５（後述の図６参照）が記憶されている。
【００４０】
ＣＰＵ２１２は、ＲＡＭ２１３の一時記憶機能を利用しつつＲＯＭ２１４に予め記憶されたプログラムに従って信号処理を行い、それによって印字ラベル作成装置１全体の制御を行う。そして、ＣＰＵ２１２は、印字ラベル作成時、プラテンローラ６６によりロール収納部４のロール３から被印字テープ３Ａを繰り出しつつ、印字ヘッド６１により被印字テープ３Ａに印字データを印刷させ、ラベルＬを作成する。
【００４１】
以上説明した構成である印字ラベル作成装置１では、ユーザがタッチパネル部５Ａに表示された印刷メニュー画面の選択キーで印字項目を選択すると、当該選択された印字項目に関し、装置筐体２に装着された被印字テープ３Ａの種別に対応した印字データを自動的に印刷することができる。以下、その詳細を順を追って説明する。
【００４２】
＜印字項目メニュー画面での印字項目の選択＞
タッチパネル部５Ａに表示された印字項目メニュー画面２０の一例を図４に示す。印字項目メニュー画面２０には、この例では、印字項目（メニュー）として「あんぱん」等の２０種類のパンを選択する２０個の選択キー２１が縦横５行４列の配置で表示されている。各選択キー２１は、第１行第１列のメニュー１「あんぱん」から第５行第４列のメニュー２０「蒸しパン」の２０個のメニューに対応し、印字項目であるパンの種類の商品名が表記されるとともに、同一の印字項目に関する複数種類のテンプレートが割り当てられている。以下、適宜、第１行第１列の印字項目をメニュー１、第１行第２列の印字項目をメニュー２、第１行第３列の印字項目をメニュー３等で示す。ユーザは、手の指２２等により例えば「あんぱん」の選択キー２１をタッチすると、印字項目として「あんぱん」を選択することができる。
【００４３】
＜被印字テープの種別に対応した印字データの印字＞
被印字テープ３Ａの種別に対応して作成されるラベルＬの一例を図５に示す。この例では、印字項目としてメニュー１「あんぱん」が選択されている。図５（ａ）は、装置筐体２に装着されたロール３（被印字テープ３Ａ）である。この装着された被印字テープ３Ａの種別が、比較的大きいテープ幅（例えば５８ｍｍ）を有する原材料用の被印字媒体である場合は、メニュー１の選択キー２１に割り当てられた印字項目「あんぱん」に関する複数種類のテンプレートの中から原材料用のテンプレートが特定され、印字データが当該テンプレートに対応して変更される。その結果、被印字テープ３Ａに原材料用のテンプレートの印字データが印字され、図５（ｂ）に示すように、原材料用の印字Ｒ１を有するラベルＬが作成される。この例では、原材料用の印字Ｒ１には、印字項目「あんぱん」に関する複数の詳細項目である「商品名」、「内容量」、「作成日」、「原材料」が含まれている。
【００４４】
一方、装置筐体２に装着された被印字テープ３Ａの種別が、比較的小さいテープ幅（例えば３８ｍｍ）を有する価格表示用の被印字媒体である場合には、印字項目「あんぱん」に関する複数種類のテンプレートの中から価格表示用のテンプレートが特定され、印字データが当該テンプレートに対応して変更される。その結果、被印字テープ３Ａに価格表示用のテンプレートの印字データが印字され、図５（ｂ）に示すように、価格表示用の印字Ｒ２を有するラベルＬが作成される。この例では、価格表示用の印字Ｒ２には、商品名と価格、及び社名が含まれている。
【００４５】
＜相関情報のテーブル＞
図６は、印字ラベル作成装置１に備えられたメモリ２１５（上記図３参照）に記憶されたテーブル２５の一例を示す。テーブル２５は、印字項目を選択する選択キー２１と、被印字テープ３Ａ（被印字媒体）の種別と、印字データ（この例ではテンプレートの名称）とを対応付けた相関情報である。図６では、選択キーとして、メニュー１「あんぱん」を選択するための選択キー２１と、メニュー２「食パン」を選択するための選択キー２１の２例を示している。
【００４６】
図６に示すように、例えば印字項目としてメニュー１「あんぱん」を選択するための選択キー２１に対し、装置筐体２に装着される被印字テープ３Ａが、テープ色が白でテープ幅５８ｍｍの無定長テープ（以下適宜「原材料表示用テープ」という）である場合には、原材料用のテンプレートである印字データ（図６では「原材料_あんぱん」と略記）が対応付けられている。また、装置筐体２に装着される被印字テープ３Ａが、テープ色が白でテープ幅及び長さが３８ｍｍ×９０ｍｍのダイカットテープ（以下適宜「価格表示用テープ」という）である場合には、価格表示用のテンプレートである印字データ（図６では「価格_あんぱん」と略記）が対応付けられている。
【００４７】
これにより、例えば被印字テープ３Ａの種別が上記原材料表示用テープである場合に、印字項目としてメニュー１「あんぱん」が選択キー２１により選択されると、印字データが原材料用のテンプレートに変更され、被印字テープ３Ａの種別が上記価格表示用テープである場合には、印字データが価格表示用のテンプレートに変更される。
【００４８】
同様に、印字項目としてメニュー２「食パン」を選択するための選択キー２１についても、装置筐体２に装着される被印字テープ３Ａの２種類の種別（テープ色が黒でテープ幅５８ｍｍの無定長テープと、テープ色が青でテープ幅及び長さが３８ｍｍ×９０ｍｍのダイカットテープ）に対して、原材料用のテンプレートである印字データ（図６では「原材料_食パン」と略記）と価格用のテンプレートである印字データ（図６では「価格_食パン」と略記）がそれぞれ対応付けられている。
【００４９】
これにより、例えば被印字テープ３Ａの種別が上記原材料表示用テープである場合に、印字項目としてメニュー２「食パン」が選択キー２１により選択されると、印字データが原材料用のテンプレートに変更され、被印字テープ３Ａの種別が上記価格表示用テープである場合には、印字データが価格表示用のテンプレートに変更される。
【００５０】
なお、テーブル２５の被印字媒体の種別において、テープ色を限定しないように対応付けることも可能である。図７にこの一例を示す。この例では、図６に示すテーブル２５に、印字項目としてメニュー３（カレーパン）を選択するための選択キー２１を追加する場合を示している。このメニュー３（カレーパン）の選択キー２１には、被印字媒体として、テープ色を限定することなく（図６では「テープ色：ＡＮＹ」と略記）テープ幅５８ｍｍの無定長テープが対応付けられている。このようにして、相関情報であるテーブル２５を適宜拡充することができる。
【００５１】
＜制御内容＞
上記内容を実現するために、印字ラベル作成装置１のＣＰＵ２１２によって実行される制御内容を、図８を用いて説明する。
【００５２】
図８において、例えばユーザによる電源ボタン７Ａの押下で印字ラベル作成装置１の電源がオンにされることによって、このフローが開始される（「ＳＴＡＲＴ」位置）。
【００５３】
まずステップＳ１０で、ＣＰＵ２１２は、ユーザにより上カバーユニット５が閉じられたか否かを判定する。ＣＰＵ２１２は、上カバーユニット５が閉じられるまで、本判定を繰り返す。ユーザが上カバーユニット５を閉じ、上カバーユニット５が解除つまみ１７を押下して、解除つまみ１７に設けたプッシュスイッチが押されると、上カバーユニット５が閉じられたことが検出され、本判定が満たされて次のステップＳ２０に移る。
【００５４】
ステップＳ２０では、ＣＰＵ２１２は、テープ判別センサ３０より装置筐体２のロール収納部４に装着されたロール３（被印字テープ３Ａ）の種別情報を取得する。具体的には、ＣＰＵ２１２は、ロール収納部４の底面部に設けられたプッシュ式のテープ判別センサ３０が押されてオンし、そのテープ判別センサ３０のオン・オフ信号の組み合わせにより、ロール３（被印字テープ３Ａ）の種別情報（被印字テープ３Ａのテープ幅及びテープ色の少なくとも一方）を取得する。このとき、液晶パネル部５Ｂでは、被印字テープ３Ａの種別に関する表示が行われる。
【００５５】
なお、例えば、取得された被印字テープ３Ａの種別情報をメモリ２１５等に保存しておき、種別情報の取得が行われる度に保存された種別情報と比較することで、比較した種別情報が異なる場合に、被印字テープ３Ａが変更された旨を液晶パネル部５Ｂに表示させてもよい。
【００５６】
次のステップＳ３０では、ＣＰＵ２１２は、選択キー２１により印字項目が選択されたか否かを判定する。ＣＰＵ２１２は、印字項目が選択されるまで、本判定を繰り返す。印字項目が選択された場合には、判定が満たされて次のステップＳ４０に移る。
【００５７】
ステップＳ４０では、ＣＰＵ２１２は、上記ステップＳ２０により取得された種別情報に基づき、上記ステップＳ３０において選択された印字項目に関する印字データを変更する。つまり、ＣＰＵ２１２は、メモリ２１５に記憶されたテーブル２５に基づいて、タッチされた選択キー２１に割り当てられた複数種類のテンプレートの中から上記取得された種別情報に対応するテンプレートを特定し、当該テンプレートに変更する。なお、当該ステップＳ４０が特許請求の範囲に記載のデータ変更手段として機能する。
【００５８】
次のステップＳ５０では、ＣＰＵ２１２は、被印字テープ３Ａに対し、上記ステップＳ４０で変更された印字データを印字する。これにより、ラベルＬが作成される。その後、本フローを終了する。
【００５９】
＜第１実施形態の効果＞
以上説明したように、本第１実施形態の印字ラベル作成装置１においては、被印字テープ３Ａが装置筐体２に着脱可能に構成されている。そして、印字ヘッド６１が被印字テープ３Ａに対し、選択キー２１により選択された印字項目の印字を行う。このとき、本実施形態では、上記ステップＳ２０において、ＣＰＵ２１２が、装置筐体２に装着された被印字テープ３Ａの種別情報を取得し、上記ステップＳ４０において、取得された種別情報に基づき、選択キー２１により選択された印字項目に関する印字データを変更する。
【００６０】
これにより、印字ラベル作成装置１は、装着された被印字テープ３Ａに対応した印字データを自動的に印刷することができる。その結果、ユーザは、変更した被印字テープ３Ａに応じて選択キー２１に新たな印字データを割り当てたり、あるいは、使用する被印字テープ３Ａの種別を入力する、等の設定操作をしなくても、所望の被印字テープ３Ａを装着して選択キー２１を操作するのみで用途に応じたラベルＬを作成することができる。したがって、ユーザの利便性を大幅に向上することができる。
【００６１】
また、本実施形態では特に、選択キー２１が、同一の印字項目に関する複数種類の印字データを割り当てられている。そして、上記ステップＳ４０において、ＣＰＵ２１２は、被印字テープ３Ａの種別情報に基づき、選択キー２１に割り当てられた複数種類のテンプレートの中でテンプレートを変更することにより、選択された印字項目に関する印字データを変更する。
【００６２】
このような構成とすることにより、作成されるラベルＬの用途に応じて複数種類のテンプレートを予め用意し選択キー２１に割り当てておくことで、選択キー２１により選択された印字項目について、用途に応じた多種多様な印字を行うことができる。したがって、ユーザのニーズに合致したラベルＬを簡便に作成することができる。
【００６３】
また、本実施形態では特に、選択キー２１と、被印字テープ３Ａの種別と、テンプレートと、を対応付けた相関情報であるテーブル２５が、メモリ２１５に記憶されている。そして、上記ステップＳ４０において、ＣＰＵ２１２は、記憶されたテーブル２５の相関情報に基づいて、選択キー２１に割り当てられた複数種類のテンプレートの中から種別情報に対応するテンプレートを特定し、当該テンプレートに変更することによって印字データを変更する。
【００６４】
このように、テーブル２５をメモリ２１５に記憶する構成とすることで、新たな被印字テープ３Ａの種別やテンプレートを追加したり、対応付けを変更したりといった、相関情報の加工を容易に行うことができる。その結果、新たな種別の被印字テープ３Ａを容易に使用可能とすることができるので、汎用性や拡張性を高めることができる。
【００６５】
また、本実施形態では特に、次のような効果も得ることができる。一般に、被印字テープ３Ａのようなテープ状の被印字媒体は、テープ幅やテープ色等に応じて複数の種別が用意されており、ラベルの用途に応じて使い分けられる。そして、本実施形態では、テープ判別センサ３０により取得された被印字テープ３Ａのテープ幅及びテープ色の少なくとも一方に基づき、選択キー２１により選択された印字項目に関する印字データを変更する。これにより、作成されるラベルＬの用途に確実に対応させて印字を行うことができる。したがって、ユーザのニーズに合致したラベルＬを確実に作成することができる。
【００６６】
また、本実施形態では特に、テープ判別センサ３０は、上カバーユニット５が閉じられた際に、装置筐体２に装着された被印字テープ３Ａの種別情報を取得する。このように、上カバーユニット５が閉じられたことを情報取得のトリガーとすることで、上カバーユニット５が開放された状態での種別情報の取得を防止でき、無駄な情報処理が行われることを防止できる。また、例えばテープ判別センサ３０として光学センサを用いるような場合には、外部からの光がセンサの外乱となる可能性がある。そこで、本実施形態のように上カバーユニット５が閉じられた状態で種別情報の取得を行うことにより、外部からの光を遮断できるので、誤検出を防止することができる。
【００６７】
また、本実施形態では特に、液晶パネル部５Ｂが、テープ判別センサ３０により取得された種別情報に基づき、被印字テープ３Ａの種別に関する表示を行う。これにより、ユーザは装着した被印字テープ３Ａの種別を確実に認識することができるので、被印字テープ３Ａの誤装着により所望のラベルＬと異なるラベルが作成されることを防止することができる。
【００６８】
＜第２実施形態＞
上記第１実施形態では、選択キー２１に同一の印字項目（メニュー）に関する複数種類のテンプレートが割り当てられており、取得された被印字テープ３Ａの種別情報に基づき、割り当てられた複数種類のテンプレートの中でテンプレートを変更することによって、印字データを変更する場合を説明したが、印字データの変更の手法はこれに限定されるものではない。本第２実施形態は、選択キー２１に対し、印字項目に関する複数の詳細項目を備えた単一のテンプレートが割り当てられており、取得された被印字テープ３Ａの種別情報に基づき、割り当てられたテンプレートにおける印字領域を詳細項目単位で変更（拡大又は縮小）することにより、印字データを変更するものである。
【００６９】
本第２実施形態における印字データの変更方法の一例を図９に示す。図９（ａ）は、特定の選択キー２１に割り当てられた、テープ幅３６ｍｍの被印字テープ３Ａ用のテンプレート２７を示す。この例では、テンプレート２７は、「原材料」、「商品名」、「価格」、「生産月」の４つの詳細項目を有する。そして、ＣＰＵ２１２は、装置筐体２に装着された被印字テープ３Ａのテープ幅がテンプレート２７が予定しているテープ幅３６ｍｍよりも小さい例えば２４ｍｍの場合、テンプレート２７における印字領域を詳細項目３つ分に縮小することにより、印字データを変更する。同様に、ＣＰＵ２１２は、装置筐体２に装着された被印字テープ３Ａのテープ幅がさらに小さい例えば１８ｍｍの場合、テンプレート２７における印字領域を詳細項目２つ分に縮小することにより、印字データを変更する。
【００７０】
このとき、テンプレート２７は、複数の詳細項目のうち、他の詳細項目よりも優先度の高い詳細項目が印字領域における特定の領域に集中的に配置されている。この例では、テンプレート２７の印字領域の中央部の２つに優先度が高い詳細項目として「商品名」及び「価格」が配置され、印字領域の上下の各１行に優先度が低い詳細項目である「原材料」及び「生産月」がそれぞれ配置されている。
【００７１】
そこで、ＣＰＵ２１２は、上述のようにして印字領域を詳細項目単位で変更する際に、優先度の高い特定の領域を残しつつ印字領域を拡大又は縮小する。つまり、図９に示す例では、テープ幅２４ｍｍの被印字テープ３Ａが装着された場合は、テンプレート２７の印字領域を中央部の２つの優先度の高い詳細項目を残しつつ、上段の詳細項目「原材料」を削除する。その結果、図９（ｂ）に示すように、「商品名」、「価格」、「生産月」の３つの詳細項目からなる印字Ｒ３を有するラベルＬが作成される。同様にテープ幅１８ｍｍの被印字テープ３Ａが装着された場合は、上記テンプレート２７の印字領域の中央部の２つの優先度の高い詳細項目を残しつつ、上段の詳細項目「原材料」及び下段の詳細項目「生産月」を削除する。その結果、図９（ｃ）に示すように、「商品名」、「価格」の２つの詳細項目からなる印字Ｒ４を有するラベルＬが作成される。
【００７２】
なお、上述のＣＰＵ２１２による印字領域の変更は、前述のステップＳ４０において行われる。これ以外の制御内容は前述の図８と同様であるので説明を省略する。
【００７３】
＜第２実施形態の効果＞
以上のように、本第２実施形態では、装置筐体２に装着された被印字テープ３Ａの種別情報に基づき、選択キー２１に割り当てられたテンプレートにおける印字領域を詳細項目単位で変更することにより、選択された印字項目に関する印字データを変更する。
【００７４】
このようにすることで、共通のテンプレートを用いて詳細項目を増減させることにより印字データを変更することが可能となるので、複数種類のテンプレートを用意する場合に比べて、データの処理量及び蓄積量を少なくすることができる。また、印字領域の変更のみで印字データを変更するので、データの加工も単純化できる。その結果、処理速度を早くし、且つ、コストも削減できる。
【００７５】
また、本実施形態では特に、印字データ（テンプレート２７）は、複数の詳細項目のうち、他の詳細項目よりも優先度の高い詳細項目が印字領域における特定の領域に集中的に配置されるように構成されており、上記ステップＳ４０において、ＣＰＵ２１２が、特定の領域を残しつつ印字領域を詳細項目単位で拡大又は縮小することにより、選択された印字項目に関する印字データを変更する。これにより、印字項目に関する詳細項目のうち優先度の高い詳細項目については、被印字テープ３Ａの種別に関わらず、必ず印字をする一方で、優先度の低い詳細項目については、被印字テープ３Ａの種別に応じて印字を行わないようにすることができる。その結果、ユーザのニーズに合致したラベルを簡便に作成することができる。
【００７６】
＜変形例＞
以上では、装置筐体２のロール収納部４に被印字テープ３Ａをロール状に巻回したロール３を収納して、ロール３から被印字テープ３Ａを供給するようにしたが、装置筐体にカートリッジホルダを設け、被印字テープ３Ａ（ロール３）を収納したカートリッジをカートリッジホルダに着脱自在に装着して、カートリッジから被印字テープ３Ａを供給するようにしてもよい。
【００７７】
なお、以上において、図３中に示す矢印は信号の流れの一例を示すものであり、信号の流れ方向を限定するものではない。
【００７８】
また、図８に示すフローチャートは本発明を上記フローに示す手順に限定するものではなく、発明の趣旨及び技術的思想を逸脱しない範囲内で手順の追加・削除又は順番の変更等をしてもよい。
【００７９】
また、以上既に述べた以外にも、上記実施形態や各変形例による手法を適宜組み合わせて利用しても良い。
【００８０】
その他、一々例示はしないが、本発明は、その趣旨を逸脱しない範囲内において、種々の変更が加えられて実施されるものである。
【符号の説明】
【００８１】
１                印字ラベル作成装置（印刷装置）
２                装置筐体
３                ロール
３Ａ              被印字テープ（被印字媒体）
５                上カバーユニット（カバー部）
５Ａ              タッチパネル部
５Ｂ              液晶パネル部（表示手段）
２０              印字項目メニュー画面
２１              選択キー
２５              テーブル（相関情報）
２６              相関情報のテーブル（相関情報）
２７              テンプレート
３０              テープ判別センサ（種別情報取得手段）
６１              印字ヘッド（印字手段）
２１５            メモリ（記憶手段）
Ｌ                ラベル
【図１】
2014188728.tif 000003
【図２】
2014188728.tif 000004
【図３】
2014188728.tif 000005
【図４】
2014188728.tif 000006
【図５】
2014188728.tif 000007
【図６】
2014188728.tif 000008
【図７】
2014188728.tif 000009
【図８】
2014188728.tif 000010
【図９】
2014188728.tif 000011